(57)【特許請求の範囲】
【請求項１】
第１の配管の中途部に接続される第１の栓ユニット部と、第２の配管の中途部に接続される第２の栓ユニット部と、前記第１の栓ユニット部と前記第２の栓ユニット部を操作する伝達シャフト部と、前記伝達シャフト部を上下に変位させる操作ハンドル部を備え、
前記第１の栓ユニット部は第１の通水弁機構と第１の水抜弁機構を備え、前記第２の栓ユニット部は第２の通水弁機構と第２の水抜弁機構を備え、
前記操作ハンドル部の１回の操作により前記第１の栓ユニット部と前記第２の栓ユニット部を同時に操作することができるように、前記第１の栓ユニット部の上側に前記第２の栓ユニット部が設けられ、前記伝達シャフト部が、前記第１の通水弁機構と前記第１の水抜弁機構、及び前記第２の通水弁機構と前記第２の水抜弁機構に連係されている不凍水抜栓であって、
前記伝達シャフト部の下端側に下方へ延長されるように構成されたスプール状動作部が、
前記第１の通水弁機構の通水路を開閉する第１通水弁部及び前記第２の通水弁機構の通水路を開閉する第２通水弁部を備えると共に、
バネ部材によって上方へ付勢されていることで前記第１の水抜弁機構の排水路を閉じる第１水抜弁体及び前記第２の水抜弁機構の排水路を閉じる第２水抜弁体を、下方へ押し下げて水抜き状態とするように、前記第１水抜弁体の作動用の第１当接押圧部及び前記第２水抜弁体の作動用の第２当接押圧部を備えることを特徴とする不凍水抜栓。
【請求項２】
前記第２の栓ユニット部において、通水状態では、前記第２の通水弁機構の通水路における流入口から流出口への流れが、水栓本体の内部に上下方向に開口されたスリーブ状開口を上から下へ通過するように設定され、
前記スリーブ状開口が前記第２通水弁部によって閉じられて通水が止められた際に、前記流出口側の通水路と、前記第２の水抜弁機構の前記第２水抜弁体が作動される排水前通水部とを連通する排水用連通路が、前記スプール状動作部の芯部を穿孔して連続する形態に設けられていることを特徴とする請求項１記載の不凍水抜栓。
【請求項３】
前記第１の配管が給水配管であって、前記第２の配管が給湯配管であることを特徴とする請求項１又は２記載の不凍水抜栓。
【請求項４】
前記給湯配管が、給湯器の貯湯ユニットから給湯栓や湯水混合栓に給湯する配管であり、前記給水配管が、水源から前記貯湯ユニットに分岐した後の湯水混合栓や給水栓に給水する配管であることを特徴とする請求項３記載の不凍水抜栓。
【請求項５】
前記第１の栓ユニット部が、前記第２の栓ユニット部に対して、継手構造によって回転自在に設けられていることを特徴とする請求項１〜４のいずれかに記載の不凍水抜栓。
【発明の詳細な説明】
【技術分野】
【０００１】
本発明は、第１の配管及び第２の配管の中途部に接続される不凍水抜栓に関する。
【背景技術】
【０００２】
従来の不凍水抜栓としては、水道管の中途に接続する栓ユニット部と、その上方に配した伝達シャフト部と、この伝達シャフト部を介して前記栓ユニット部を操作する操作ハンドル部とを備え、この操作ハンドル部の操作により、前記栓ユニット部の弁体が変位して水道を通水又は排水状態に切り替える水抜栓装置において、前記栓ユニット部に２つ以上の水路の水道水をそれぞれに排水する２つ以上の排水機構と、これらを同時に開閉する弁とを具備し、前記栓ユニット部は、前記水道管の水路を仕切る弁座と、前記水路の下流側に臨む第１の排水機構と、前記弁座を開閉する第１の弁と、前記第１の排水機構を開閉する第２の弁と、前記水道管の上方に設けた別排水接続口と、この別排水接続口に臨む第２の排水機構と、前記第２の弁の上方に設けた前記第２の排水機構を開閉する第３の弁とを有する（特許文献１参照）水抜栓装置が、本出願人によって提案されている。
【０００３】
これによれば、水道管に接続する凍結防止用の水抜栓装置に関し、複数水路の排水システムを同時に操作できる。すなわち、この水抜栓装置では、一つの水道管による給水配管に係る一つの開閉と、複数の排水機構に係る複数の開閉とを同時に行うことができるものであり、一つの通水路の開閉ができる構成と二つの排水路の開閉ができる構成を備える装置になっている。
【０００４】
しかしながら、この水抜栓装置は、従来の図４に示すような不凍水抜栓で一般の給水管の水抜きをしても給湯器の貯湯タンク（貯湯ユニット７０）に水源水圧が常時加わる配管システムであって、第１の配管及び第２の配管の開閉と二つの排水路の開閉とを行う構成の配管システムについて適用することができない。図４に示す従来の配管システムでは、水源４９の給水配管５０が、貯湯ユニット７０と、給水栓５１や湯水混合栓５５とに接続するように分岐し、給湯配管６０が、給湯栓６１や湯水混合栓５５に接続する構成になっている。また、貯湯ユニット７０に接続されている給水配管５０と給湯配管６０との地面（Ｇ．Ｌ）の上に露出した部分は凍結防止ヒータ７１によって凍結が防止される構成になっている。そして、給湯配管６０の地中に配管された部分と、貯湯ユニット７０に接続するため分岐した後の部分であって給水栓５１や湯水混合栓５５に接続される給水配管５０の地中に配管された部分それぞれに、湯側の不凍水抜栓８２と水側の不凍水抜栓８１とが接続されて設置されている。
【先行技術文献】
【特許文献】
【０００５】
【特許文献１】特許第２９９２８１１号公報（請求項１、図１）
【発明の概要】
【発明が解決しようとする課題】
【０００６】
不凍水抜栓に関して解決しようとする課題は、特許文献１に記載の水抜栓装置は、一つの通水路の開閉と二つの排水路の開閉とを同時にできる構成を備えているが、例えば水抜きをしても給湯器の貯湯ユニットに水源水圧が常時加わるように、第１の配管及び第２の配管（給水路と給湯路）の開閉と二つの排水路の開閉とを行う配管システムには適用できない点にある。
【０００７】
そこで、本発明の目的は、第１の配管及び第２の配管（例えば給水路と給湯路）の開閉と二つの排水路の開閉とを行う配管システムに適用でき、操作を簡単且つ確実に行うことができる不凍水抜栓を提供することにある。
【課題を解決するための手段】
【０００８】
本発明は上記目的を達成するために次の構成を備える。
本発明に係る不凍水抜栓の一形態によれば、第１の配管の中途部に接続される第１の栓ユニット部と、第２の配管の中途部に接続される第２の栓ユニット部と、前記第１の栓ユニット部と前記第２の栓ユニット部を操作する伝達シャフト部と、前記伝達シャフト部を上下に変位させる操作ハンドル部を備え、前記第１の栓ユニット部は第１の通水弁機構と第１の水抜弁機構を備え、前記第２の栓ユニット部は第２の通水弁機構と第２の水抜弁機構を備え、前記操作ハンドル部の１回の操作により前記第１の栓ユニット部と前記第２の栓ユニット部を同時に操作することができるように、前記第１の栓ユニット部の上側に前記第２の栓ユニット部が設けられ、前記伝達シャフト部が、前記第１の通水弁機構と前記第１の水抜弁機構、及び前記第２の通水弁機構と前記第２の水抜弁機構に連係されている不凍水抜栓であって、前記伝達シャフト部の下端側に下方へ延長されるように構成されたスプール状動作部が、前記第１の通水弁機構の通水路を開閉する第１通水弁部及び前記第２の通水弁機構の通水路を開閉する第２通水弁部を備えると共に、バネ部材によって上方へ付勢されていることで前記第１の水抜弁機構の排水路を閉じる第１水抜弁体及び前記第２の水抜弁機構の排水路を閉じる第２水抜弁体を、下方へ押し下げて水抜き状態とするように、前記第１水抜弁体の作動用の第１当接押圧部及び前記第２水抜弁体の作動用の第２当接押圧部を備える。
【００１１】
また、本発明に係る不凍水抜栓の一形態によれば、前記第２の栓ユニット部において、通水状態では、前記第２の通水弁機構の通水路における流入口から流出口への流れが、水栓本体の内部に上下方向に開口されたスリーブ状開口を上から下へ通過するように設定され、前記スリーブ状開口が前記第２通水弁部によって閉じられて通水が止められた際に、前記流出口側の通水路と、前記第２の水抜弁機構の前記第２水抜弁体が作動される排水前通水部とを連通する排水用連通路が、前記スプール状動作部の芯部を穿孔して連続する形態に設けられていることを特徴とすることができる。
【００１２】
また、本発明に係る不凍水抜栓の一形態によれば、前記第１の配管が給水配管であって、前記第２の配管が給湯配管であることを特徴とすることができる。
また、本発明に係る不凍水抜栓の一形態によれば、前記給湯配管が、給湯器の貯湯ユニットから給湯栓や湯水混合栓に給湯する配管であり、前記給水配管が、水源から前記貯湯ユニットに分岐した後の湯水混合栓や給水栓に給水する配管であることを特徴とすることができる。
また、本発明に係る不凍水抜栓の一形態によれば、前記第１の栓ユニット部が、前記第２の栓ユニット部に対して、継手構造によって回転自在に設けられていることを特徴とすることができる。
【発明の効果】
【００１３】
本発明に係る不凍水抜栓によれば、第１の配管及び第２の配管の開閉と二つの排水路の開閉とを行う配管システムに適用でき、操作を簡単且つ確実に行うことができるという特別有利な効果を奏する。
【図面の簡単な説明】
【００１４】
【図１】本発明に係る不凍水抜栓の形態例であって、通水状態を示す断面図である。
【図２】図１の形態例の水抜き状態を示す断面図である。
【図３】本発明に係る不凍水抜栓が使用される通水配管システムの形態例を示す構成図である。
【図４】従来の不凍水抜栓が使用される通水配管システムの形態例を示す構成図である。
【発明を実施するための形態】
【００１５】
以下、本発明に係る不凍水抜栓の形態例を、添付図面（図１〜３）と共に詳細に説明する。本発明に係る不凍水抜栓１は、第１の配管及び第２の配管の中途部に接続できるものである。
１０は第１の栓ユニット部であり、下部に設けられて第１の通水弁機構１１及び第１の水抜弁機構１５を備え、第１の配管（例えば給水配管５０）の中途部に接続される。本形態例では、全体装置の最下部に設けられており、水栓本体４０のうちの下側を構成する第１水栓本体部４１に内蔵される構成になっている。
【００１６】
２０は第２の栓ユニット部であり、第１の栓ユニット部１０の上側に設けられて第２の通水弁機構２１及び第２の水抜弁機構２５を備え、第２の配管（例えば給湯配管６０）の中途部に接続される。本形態例では、全体装置の第１水栓本体部４１の上側に設けられており、水栓本体４０のうちの上側を構成する第２水栓本体部４２及び蓋部４３に内蔵される構成になっている。
本形態例の不凍水抜栓１は、第１の配管と第２の配管とが上下に重なって配管される構成の配管システムについて利用されるものになっている。なお、本発明に係る不凍水抜栓１は、第１の配管と第２の配管とが上下に重なって平行並列に配される配管システムに限定されるものではなく、その第１の配管と第２の配管とが近接して重なり合うように配される種々の配管システムにも適用できるのは勿論である。
【００１７】
３０は操作ハンドル部であり、上部に設けられている。本形態例では、全体装置の最上部に設けられており、ハンドル３０ａが、伝達シャフト部３１の上端部に固定されることによって構成されている。
なお、２は外筒であって、外観形状を構成し、３は内筒であって、キャップ部３ａと共に、伝達シャフト部３１の一部を構成するロッド３１ａやスピンドル３２ｂを内包して、それらを上下動可能に支持する部材になっている。また、各接続部のシールや、摺接部のシールについては、多くの部位で図１及び２に示すように、Ｏ‐リングが用いられている。
【００１８】
伝達シャフト部３１は、操作ハンドル部３０による操作によって弁の開閉操作のための上下の変位を生じさせるように作動される部位になっている。本形態例では、第１の栓ユニット部１０の上側に第２の栓ユニット部２０が設けられ、伝達シャフト部３１が、第１の通水弁機構１１と第１の水抜弁機構１５、及び第２の通水弁機構２１と第２の水抜弁機構２５に連係されている。これによれば、操作ハンドル部３０の１回の操作により第１の栓ユニット部１０と第２の栓ユニット部２０を同時に操作することができる。
【００１９】
本形態例の伝達シャフト部３１では、水栓本体４０の上部（蓋部４３）に軸芯方向に設けられた雌ネジ孔４３ａに、スピンドル３２ｂに設けられた雄ネジ部３２ｃが螺合することで、ねじ込み操作によって上下方向に変位できる構成になっている。なお、この操作ハンドル部３０と伝達シャフト部３１とによる操作機構としては、本形態例に限定されるものではなく、例えば、カム機構による上下動作機構、或いは押圧ワンタッチ式の係合機構など、既知の動作機構を適宜選択的に用いてもよいのは勿論である。
【００２０】
そして、本発明では、伝達シャフト部３１の下端側に下方へ延長されるように構成されたスプール状動作部３２が、下方へ変位した際に通水を止めて水抜き状態とするように、第１の通水弁機構の通水路１２を開閉する第１通水弁部３３及び第２の通水弁機構の通水路２２を開閉する第２通水弁部３４を備えると共に、バネ部材（第１バネ部材１９、第２バネ部材２９）によって上方へ付勢されていることで、第１の水抜弁機構の排水路１６を閉じる第１水抜弁体１８及び第２の水抜弁機構の排水路２６を閉じる第２水抜弁体２８を、下方へ押し下げて水抜き状態とするように、第１水抜弁体１８の作動用の第１当接押圧部３５及び第２水抜弁体２８の作動用の第２当接押圧部３６を備えている。なお、バネ部材としては、本形態例ではコイルスプリングが用いられているが、これに限定されることはなく、他の弾性部材によって構成されてもよい。
【００２１】
この本発明に係る不凍水抜栓によれば、第１の配管及び第２の配管（第１の通水弁機構の通水路１２と第２の通水弁機構の通水路２２との二つの通水路）の開閉と二つの排水路の開閉（第１の水抜弁機構の排水路１６、第２の水抜弁機構の排水路２６）とを同時に操作できる合理的な構成になっており、二つの配管に係る不凍水抜栓の通水と水抜きの切り換えを、一つの操作によって簡単且つ確実に行うことができる。すなわち、二つの不凍水抜栓についての個々の操作を一つにまとめることができ、効率的に操作作業ができると共に、一方の水抜き操作のみを行い他方の操作を忘れてしまうようなケアレスミスを防止できる。また、二つの不凍水抜栓の機能を集約できるため、装置の配置スペースが小さくなり、装置全体としてのコンパクト化を実現できる。
【００２２】
本形態例のスプール状動作部３２は、複数の部材（第１通水弁部３３を構成するコマ部材３３ａなど、第２通水弁部３４を構成するスプール状弁体３２ａ、第１当接押圧部３５が設けられたピストンロッド状部３２ｄ、第２当接押圧部３６が設けられたスピンドル３２ｂのなどを構成する部材）が上下方向に同軸に連結されて構成されており、第１の栓ユニット部１０における第１水栓本体部４１の中心と、第２の栓ユニット部２０における第２水栓本体部４２及び蓋部４３の中心とを貫く形態になっている。
【００２３】
以下、本形態例の不凍水抜栓１の具体的構成について、さらに詳細に説明する。
本形態例の第１の栓ユニット部１０は、第１水栓本体部４１の内部に、第１の通水弁機構１１と第１の水抜弁機構１５とが組み込まれた構成になっている。この第１の通水弁機構１１において、通水状態では、第１の通水弁機構の通水路１２における第１流入口４１ａから第１流出口４１ｂへの流れが、水栓本体４０（第１水栓本体部４１）の内部に上下方向に開口されると共に水平の弁座が設けられた弁座状開口１３を、下から上へ通過するように設定されている（図１の矢印参照）。
【００２４】
また、本形態例の第１の通水弁機構１１では、第１通水弁部３３が、弁座状開口１３の周縁に上方から当接するように下方に変位し、その弁座状開口１３を閉じることで第１の通水弁機構の通水路１２を塞ぎ、通水を止めるように構成されている。このように、通水が止められた際には、スプール状動作部３２が下方に移動されており、弁座状開口１３よりも第１流出口４１ｂの側である第１流出口側の通水路４１ｃの内部で、第１の水抜弁機構の排水路１６を開閉する第１水抜弁体１８が、スプール状動作部３２の下側中途部に設けられた径方向段差で構成される第１当接押圧部３５によって、第１バネ部材１９の付勢力に抗して押し下げられる。なお、本形態例の第１当接押圧部３５は、スプール状動作部３２の一部を構成するピストンロッド状部３２ｄに設けられている。これによって、第１の水抜弁機構の排水路１６が開いて水抜きがなされる（図２の矢印参照）。なお、１６ａは球体弁であり、第１の水抜弁機構の排水路１６での逆流を防止して外部からの水の流入を阻止する逆止弁になっている。
【００２５】
また、本形態例の第１通水弁部３３は、コマ部材３３ａ及びコマパッキン３３ｂによって構成されており、下方に変位した初期の段階でコマパッキン３３ｂの下端円盤部が弁座状開口１３の内周に嵌って仮にシール（周シール）して通水を止めることができ、さらに下方に変位した段階で、図２に示すように、コマパッキン３３ｂの水平段部（下面）が弁座状開口１３の周縁の弁座面（上面）に当接して、強固にシール（面シール）できる。その弁座状開口１３のシールが確実・強固になされるまでのタイムラグの間に、第１水抜弁体１８が下方に押されて、第１の水抜弁機構の排水路１６が開く構成になっている。すなわち、弁座状開口１３のシールがなされた後に、第１の水抜弁機構の排水路１６が適切に開くように構成されており、第１流入口４１ａと直接的に連通して第１の水抜弁機構の排水路１６から洩れ出ることを防止できる。
【００２６】
また、第１バネ部材１９は、コマ部材３３ａの上面と第１水抜弁体１８の下面との間に配され、第１水抜弁体１８を、第１の水抜弁機構の排水路１６を閉じる方向へ付勢している。そして、第１通水弁部３３が通水のために上方へ移動されると、コマ部材３３ａの上面が、第１水抜弁体１８の下面に当接して、図１に示すように、第１水抜弁体１８を、第１の水抜弁機構の排水路１６を塞ぐように上方へ押圧する状態となり、第１の水抜弁機構の排水路１６を確実・強固に閉じることができる。
【００２７】
次に、本形態例では、第２の栓ユニット部２０において、通水状態では、第２の通水弁機構の通水路２２における流入口（第２流入口４２ａ）から流出口（第２流出口４２ｂ）への流れが、水栓本体４０（第２水栓本体部４２及び蓋部４３）の内部に上下方向に開口されたスリーブ状開口２３を上から下へ通過するように設定され（図１の矢印参照）、そのスリーブ状開口２３が第２通水弁部３４によって閉じられて通水が止められた際にも、流出口側の通水路（第２流出口側の通水路４２ｃ）と、第２の水抜弁機構２５の第２水抜弁体２８が作動される排水前通水部２７とを、連通する排水用連通路３７が、スプール状動作部３２の芯部を穿孔して連続する形態に設けられている。この排水用連通路３７は、スプール状動作部３２を構成するスプール状弁体３２ａとピストンロッド状部３２ｄとに設けられている。なお、スリーブ状開口２３を閉じる第２通水弁部３４によるシールは、Ｏ‐リングによる摺接・周シールによってなされている。
【００２８】
これによれば、第２の栓ユニット部２０において、水抜きのための通水路を、合理的且つコンパクトに構成することができる。なお、本形態例では、水栓本体４０の第２の栓ユニット部２０を構成する部分が、第２水栓本体部４２及び蓋部４３が一体的に接続されることによって構成されており、排水前通水部２７と第２の水抜弁機構の排水路２６とが、蓋部４３に形成され、合理的且つコンパクトに構成されている。
【００２９】
また、第２バネ部材２９は、後述するスリーブ部材４５の上端面と第２水抜弁体２８の下面との間に配され、第２水抜弁体２８を、第２の水抜弁機構の排水路２６を閉じる方向へ付勢している。これによれば、スプール状動作部３２が、通水の際に上方へ移動されると、図１に示すように、第２水抜弁体２８が、第２バネ部材２９によって上方へ押圧され、第２の水抜弁機構の排水路２６を塞ぐ状態となる。そして、スプール状動作部３２が、水抜きの際に下方へ移動されると、図２に示すように、第２水抜弁体２８が、スプール状動作部３２の上部に設けられた径方向段差で構成される第２当接押圧部３６によって、第２バネ部材２９の付勢力に抗して下方へ押圧され、第２の水抜弁機構の排水路２６が開く状態となり、水抜きがなされる（図２の矢印参照）。なお、２６ａは球体弁であり、第２の水抜弁機構の排水路２６での逆流を防止して外部からの水の流入を阻止する逆止弁になっている。
【００３０】
本形態例のスリーブ部材４５は、第２水栓本体部４２及び蓋部４３の内部から第１水栓本体部４１の内部上側に渡って内嵌・内蔵されており、スプール状動作部３２が上下方向（軸芯方向）に移動変位可能に、そのスプール状動作部３２を内嵌・内包するように設けられている。また、この本形態例のスリーブ部材４５は、第２水栓本体部４２の内部に位置する上部スリーブ部４５ａと、第１水栓本体部４１の内部上側に位置する下部スリーブ部４５ｂとが接続された形態に構成されている。
【００３１】
そして、このスリーブ部材４５によって内嵌されている本形態例のスプール状動作部３２の部位は、第２通水弁部３４が下端部に設けられて上部スリーブ部４５ａ内で上下に摺動変位するように設けられたスプール状弁体３２ａと、このスプール状弁体３２ａの下側に接続されたピストンロッド状部３２ｄによって構成されている。このピストンロッド状部３２ｄは、下部スリーブ部４５ｂ内で上下に摺動変位するように設けられ、そのピストンロッド状部３２ｄの下端には第１通水弁部３３が装着されている。
【００３２】
また、本形態例の不凍水抜栓１では、図３に示すように、第１の栓ユニット部１０が、第１の配管である給水配管５０に接続されるものであって、第２の栓ユニット部２０が、第２の配管である給湯配管６０に接続されるように構成されている。これによれば、給水配管５０と給湯配管６０との両方について、一つの不凍水抜栓の操作によって、通水と水抜きの切り換えを行うことができる。従って、操作が簡単になり、確実に行うことができる。
【００３３】
また、本形態例の不凍水抜栓１では、図３に示すように、給湯配管６０が、給湯器の貯湯ユニット７０から給湯栓６１や湯水混合栓５５に給湯する配管であり、給水配管５０が、水源４９から貯湯ユニット７０に分岐した後の湯水混合栓５５や給水栓５１に給水する配管であるように構成されている。
【００３４】
これによれば、水抜きをしても給湯器の貯湯ユニット７０に水源水圧が常時加わるように、第１の配管及び第２の配管（給水路と給湯路）の開閉と二つの排水路の開閉とを行う配管システムに、好適に適用することができる。
【００３５】
また、本形態例では、第１の栓ユニット部１０が、第２の栓ユニット部２０に対して、継手構造によって回転自在に設けられている。本形態例の継手構造４７は、切欠きリング４７ａを介して、接続リング４７ｂを第２水栓本体部４２の下端部に設けられた雄ネジ部４２ｄに螺合させることで、第１の栓ユニット部１０と第２の栓ユニット部２０とを相互に回転自在に装着して一体化できる形態になっている。これによれば、組み立て作業、配管接続作業や保守作業を合理的且つ容易に行うことができる。
【００３６】
以上、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００３７】
１  不凍水抜栓
２  外筒
３  内筒
３ａ  キャップ部
１０  第１の栓ユニット部
１１  第１の通水弁機構
１２  第１の通水弁機構の通水路
１３  弁座状開口
１５  第１の水抜弁機構
１６  第１の水抜弁機構の排水路
１６ａ  球体弁
１８  第１水抜弁体
１９  第１バネ部材
２０  第２の栓ユニット部
２１  第２の通水弁機構
２２  第２の通水弁機構の通水路
２３  スリーブ状開口
２５  第２の水抜弁機構
２６  第２の水抜弁機構の排水路
２６ａ  球体弁
２７  排水前通水部
２８  第２水抜弁体
２９  第２バネ部材
３０  操作ハンドル部
３０ａ  ハンドル
３１  伝達シャフト部
３１ａ  ロッド
３２  スプール状動作部
３２ａ  スプール状弁体
３２ｂ  スピンドル
３２ｃ  雄ネジ部
３２ｄ  ピストンロッド状部
３３  第１通水弁部
３３ａ  コマ部材
３３ｂ  コマパッキン
３４  第２通水弁部
３５  第１当接押圧部
３６  第２当接押圧部
３７  排水用連通路
４０  水栓本体
４１  第１水栓本体部
４１ａ  第１流入口
４１ｂ  第１流出口
４１ｃ  第１流出口側の通水路
４２  第２水栓本体部
４２ａ  第２流入口
４２ｂ  第２流出口
４２ｃ  第２流出口側の通水路
４２ｄ  雄ネジ部
４３  蓋部
４３ａ  雌ネジ孔
４５  スリーブ部材
４５ａ  上部スリーブ部
４５ｂ  下部スリーブ部
４７  継手構造
４７ａ  切欠きリング
４７ｂ  接続リング
４９  水源
５０  給水配管
５１  給水栓
５５  湯水混合栓
６０  給湯配管
６１  給湯栓
７０  貯湯ユニット
７１  凍結防止ヒータ
８１  水側の不凍水抜栓
８２  湯側の不凍水抜栓
【図１】
0006710528.tif 000002
【図２】
0006710528.tif 000003
【図３】
0006710528.tif 000004
【図４】
0006710528.tif 000005